(57)【特許請求の範囲】
【請求項１】
オンラインストレージシステムにおけるインターネットサービスセンタに設置されるＷｅｂ／ＤＡＶサーバであって、
ｉＳＣＳＩイニシエータ機能を有し、
ユーザ宅に設置され、ストレージ装置に接続するネットワークアプライアンス装置にｉＳＣＳＩ  ｌｏｇｉｎし、
前記ユーザ宅に設置されるユーザ端末からサーバ管理要求を受け付けて、これを前記ネットワークアプライアンス装置を介して前記ストレージ装置に送信することを特徴とするＷｅｂ／ＤＡＶサーバ。
【請求項２】
オンラインストレージシステムにおけるユーザ宅に設置されるネットワークアプライアンス装置であって、
ｉＳＣＳＩターゲット機能を有し、
ストレージ装置に接続し、
インターネットサービスセンタに設置され、前記ユーザ宅に設置されるユーザ端末からサーバ管理要求を受け付けるＷｅｂ／ＤＡＶサーバからのｉＳＣＳＩ  ｌｏｇｉｎを受け付け、前記ストレージ装置に対する管理要求を受け付けて、これを前記ストレージ装置に送信することを特徴とするネットワークアプライアンス装置。
【請求項３】
インターネットサービスセンタに設置され、ｉＳＣＳＩイニシエータ機能を有し、ユーザ宅に設置されるユーザ端末からサーバ管理要求を受け付けるＷｅｂ／ＤＡＶサーバと、
前記ユーザ宅に設置され、ｉＳＣＳＩターゲット機能を有し、ストレージ装置に接続するネットワークアプライアンス装置と、
前記ネットワークアプライアンス装置に接続する前記ストレージ装置と、
サーバ管理を行う前記ユーザ端末と、を有するオンラインストレージシステムであって、
前記Ｗｅｂ／ＤＡＶサーバは、前記ネットワークアプライアンス装置にｉＳＣＳＩ  ｌｏｇｉｎし、前記ユーザ端末からサーバ管理要求を受け付けて、これを該ネットワークアプライアンス装置に送信し、
前記ネットワークアプライアンス装置は、前記Ｗｅｂ／ＤＡＶサーバからのｉＳＣＳＩ  ｌｏｇｉｎを受け付け、前記ストレージ装置に対する管理要求を受け付けて、これを前記ストレージ装置に送信することを特徴とするオンラインストレージシステム。
【請求項４】
オンラインストレージシステムにおけるインターネットサービスセンタに設置されｉＳＣＳＩイニシエータ機能を有するＷｅｂ／ＤＡＶサーバの制御方法であって、
ユーザ宅に設置され、ストレージ装置に接続するネットワークアプライアンス装置にｉＳＣＳＩ  ｌｏｇｉｎするステップと、
前記ユーザ宅に設置されるユーザ端末からサーバ管理要求を受け付けるステップと、
前記要求を前記ネットワークアプライアンス装置を介して前記ストレージ装置に送信するステップと、を有することを特徴とするＷｅｂ／ＤＡＶサーバの制御方法。
【請求項５】
オンラインストレージシステムにおけるユーザ宅に設置され、ｉＳＣＳＩターゲット機能を有し、ストレージ装置に接続するネットワークアプライアンス装置の制御方法であって、
インターネットサービスセンタに設置され、前記ユーザ宅に設置されるユーザ端末からサーバ管理要求を受け付けるＷｅｂ／ＤＡＶサーバからのｉＳＣＳＩ  ｌｏｇｉｎを受け付けるステップと、
前記ストレージ装置に対する管理要求を受け付けて、これを前記ストレージ装置に送信するステップと、を有することを特徴とするネットワークアプライアンス装置の制御方法。
【請求項６】
インターネットサービスセンタに設置され、ｉＳＣＳＩターゲット機能を有し、ユーザ宅に設置されるユーザ端末からサーバ管理要求を受け付けるＷｅｂ／ＤＡＶサーバと、
前記ユーザ宅に設置され、ｉＳＣＳＩイニシエータ機能を有し、ストレージ装置に接続するネットワークアプライアンス装置と、
前記ネットワークアプライアンス装置に接続する前記ストレージ装置と、
サーバ管理を行う前記ユーザ端末と、を有するオンラインストレージシステムの制御方法であって、
前記Ｗｅｂ／ＤＡＶサーバが、前記ネットワークアプライアンス装置にｉＳＣＳＩ  ｌｏｇｉｎするステップと、
ネットワークアプライアンス装置が、前記Ｗｅｂ／ＤＡＶサーバからのｉＳＣＳＩ  ｌｏｇｉｎを受け付けるステップと、
前記Ｗｅｂ／ＤＡＶサーバが、前記ユーザ端末からサーバ管理要求を受け付けるステップと、
ネットワークアプライアンス装置が、前記ストレージ装置に対する管理要求を受け付けて、これを前記ストレージ装置に送信するステップと、を有することを特徴とするオンラインストレージシステムの制御方法。
【発明の詳細な説明】
【技術分野】
【０００１】
本発明は、インターネットデータセンタに設置されるファイルサーバの管理技術に関するものである。
【背景技術】
【０００２】
図１は従来のオンラインストレージサービスシステムの構成図である。図１において、インターネットデータセンタ１３内のＷｅｂ／ＤＡＶサーバ１６はＤＮＳ１４に対してドメイン名登録を行う(Ｓ１)。
【０００３】
ＤＮＳ１４はドメイン名登録を行うとともに、Ｗｅｂ／ＤＡＶサーバ１６に対して登録名を通知する(Ｓ２)。
【０００４】
ユーザ端末１２はＤＮＳ１４に対してＷｅｂ／ＤＡＶサーバ１６への名前解決を要求し(Ｓ３)、ＤＮＳ１４はこれに対して登録ドメイン名を送信する(Ｓ４)。
【０００５】
ユーザ端末１２はＷｅｂ／ＤＡＶサーバ１６に接続してサーバ管理を行い、Ｗｅｂ／ＤＡＶサーバ１６を介してストレージ装置１５にアクセスを行う(Ｓ５)。
【０００６】
ユーザ端末は１２ストレージ装置１５へのアクセスに対してレスポンスを得る(Ｓ６)。
【０００７】
上記のように、インターネットデータセンタ１１はストレージ装置１５と一体的に管理運用されてきた。オンラインストレージサービスでは、インターネットデータセンタ１１の中で、冗長性を上げてハイエンド機種を管理することで、比較的故障率の高いストレージ装置１５の信頼性確保を実現している（例えば、非特許文献１参照。）。
【０００８】
また、付随するバックアップ機器、保守管理システムソフトウェアも、ストレージ装置の価格レンジ相応に備えることとなるため、システム全体のサービス対価が高い場合には、個人ユーザレベルで入手可能なストレージ装置との間に大きな価格差が存在する。
【０００９】
一方、ファイルサーバを個人ユーザレベルで運用することにより、ストレージ装置に起因する高コスト構造は回避できる。しかし、ファイルサーバ自体の運用、信頼性、ファイルサーバを利用するグループ化されたユーザ個々の管理、及び、悪意のあるアクセスへの対処など、管理に関わる負荷が非常に大きく、専門的な知識を有するユーザのみがこのような対応を採り得た。
【非特許文献１】Ｗｏｌｆｇａｎｇ  Ｓｉｎｇｅｒ，“ＮＡＳ  ａｎｄ  ｉＳＣＳＩ  Ｔｅｃｈｎｏｌｏｇｙ  Ｏｖｅｒｖｉｅｗ”，Ｓｔｏｒａｇｅ  Ｎｅｔｗｏｒｋｉｎｇ  Ｗｏｒｌｄ  ２００５  Ｓｐｒｉｎｇ  インターネット＜ＵＲＬ：ｈｔｔｐ：／／ｗｗｗ．Ｓｓｎｗｕｓａ．ｃｏｍ／ｐｒｅｓｅｎｔａｔｉｏｎｓｆｉｎ．ｈｔｍｌ＞
【発明の開示】
【発明が解決しようとする課題】
【００１０】
そこで、オンラインストレージサービスの高信頼−高コスト、個人ベースのストレージサービスの低信頼−低コストを回避し、高信頼−低コスト構造を実現するとともに、サーバ容量をユーザの意志に基づき柔軟に変更可能な技術の提供を目的とする。
【００１１】
更に、オンラインストレージサービスの利用に際して、ユーザからのオンデマンド要求に基づき、ファイルサーバリソースを割り当てることを可能とすることで、システム全体の効率的投資、効率的運用を可能とする。
【課題を解決するための手段】
【００１２】
そこで上記課題を解決するために、請求項１に記載の発明は、オンラインストレージシステムにおけるインターネットサービスセンタに設置されるＷｅｂ／ＤＡＶサーバであって、ｉＳＣＳＩイニシエータ機能を有し、ユーザ宅に設置され、ストレージ装置に接続するネットワークアプライアンス装置にｉＳＣＳＩ  ｌｏｇｉｎし、前記ユーザ宅に設置されるユーザ端末からサーバ管理要求を受け付けて、これを前記ネットワークアプライアンス装置を介して前記ストレージ装置に送信することを特徴とする。
【００１３】
また、請求項２に記載の発明は、オンラインストレージシステムにおけるユーザ宅に設置されるネットワークアプライアンス装置であって、ｉＳＣＳＩターゲット機能を有し、ストレージ装置に接続し、インターネットサービスセンタに設置され、前記ユーザ宅に設置されるユーザ端末からサーバ管理要求を受け付けるＷｅｂ／ＤＡＶサーバからのｉＳＣＳＩ  ｌｏｇｉｎを受け付け、前記ストレージ装置に対する管理要求を受け付けて、これを前記ストレージ装置に送信することを特徴とする。
【００１４】
また、請求項３に記載の発明は、インターネットサービスセンタに設置され、ｉＳＣＳＩイニシエータ機能を有し、ユーザ宅に設置されるユーザ端末からサーバ管理要求を受け付けるＷｅｂ／ＤＡＶサーバと、前記ユーザ宅に設置され、ｉＳＣＳＩターゲット機能を有し、ストレージ装置に接続するネットワークアプライアンス装置と、前記ネットワークアプライアンス装置に接続する前記ストレージ装置と、サーバ管理を行う前記ユーザ端末と、を有するオンラインストレージシステムであって、前記Ｗｅｂ／ＤＡＶサーバは、前記ネットワークアプライアンス装置にｉＳＣＳＩ  ｌｏｇｉｎし、前記ユーザ端末からサーバ管理要求を受け付けて、これを該ネットワークアプライアンス装置に送信し、前記ネットワークアプライアンス装置は、前記Ｗｅｂ／ＤＡＶサーバからのｉＳＣＳＩ  ｌｏｇｉｎを受け付け、前記ストレージ装置に対する管理要求を受け付けて、これを前記ストレージ装置に送信することを特徴とする。
【００１５】
また、請求項４に記載の発明は、オンラインストレージシステムにおけるインターネットサービスセンタに設置されｉＳＣＳＩイニシエータ機能を有するＷｅｂ／ＤＡＶサーバの制御方法であって、ユーザ宅に設置され、ストレージ装置に接続するネットワークアプライアンス装置にｉＳＣＳＩ  ｌｏｇｉｎするステップと、前記ユーザ宅に設置されるユーザ端末からサーバ管理要求を受け付けるステップと、前記要求を前記ネットワークアプライアンス装置を介して前記ストレージ装置に送信するステップと、を有することを特徴とする。
【００１６】
また、請求項５に記載の発明は、オンラインストレージシステムにおけるユーザ宅に設置され、ｉＳＣＳＩターゲット機能を有し、ストレージ装置に接続するネットワークアプライアンス装置の制御方法であって、インターネットサービスセンタに設置され、前記ユーザ宅に設置されるユーザ端末からサーバ管理要求を受け付けるＷｅｂ／ＤＡＶサーバからのｉＳＣＳＩ  ｌｏｇｉｎを受け付けるステップと、前記ストレージ装置に対する管理要求を受け付けて、これを前記ストレージ装置に送信するステップと、を有することを特徴とする。
【００１７】
また、請求項６に記載の発明は、インターネットサービスセンタに設置され、ｉＳＣＳＩターゲット機能を有し、ユーザ宅に設置されるユーザ端末からサーバ管理要求を受け付けるＷｅｂ／ＤＡＶサーバと、前記ユーザ宅に設置され、ｉＳＣＳＩイニシエータ機能を有し、ストレージ装置に接続するネットワークアプライアンス装置と、前記ネットワークアプライアンス装置に接続する前記ストレージ装置と、サーバ管理を行う前記ユーザ端末と、を有するオンラインストレージシステムの制御方法であって、前記Ｗｅｂ／ＤＡＶサーバが、前記ネットワークアプライアンス装置にｉＳＣＳＩ  ｌｏｇｉｎするステップと、ネットワークアプライアンス装置が、前記Ｗｅｂ／ＤＡＶサーバからのｉＳＣＳＩ  ｌｏｇｉｎを受け付けるステップと、前記Ｗｅｂ／ＤＡＶサーバが、前記ユーザ端末からサーバ管理要求を受け付けるステップと、ネットワークアプライアンス装置が、前記ストレージ装置に対する管理要求を受け付けて、これを前記ストレージ装置に送信するステップと、を有することを特徴とする。
【００１８】
請求項１〜６に記載の発明で実現されるオンラインストレージシステムでは、各ユーザごとのストレージ装置を設置することが可能である。
【００１９】
また、インターネットサービスセンタでは、ユーザの要求時にＷｅｂ／ＤＡＶサーバをユーザに割り当てればよい。
【００２０】
なお、Ｗｅｂ／ＤＡＶサーバは、ユーザデータ保存のためのストレージが内蔵又はストレージ装置接続専用ケーブル類で外付け接続されていない、複数のＷｅｂサーバ兼ファイルサーバである。
【発明の効果】
【００２１】
請求項１〜６に記載の発明で実現されるオンラインストレージシステムによれば、インターネットサービスセンタに高価なストレージ装置を設置する必要が無い。
【００２２】
また、必要に応じたストレージ装置を選択可能であり、ストレージ装置の容量をユーザの意志により設定可能である。
【００２３】
また、ユーザから要求のあったときにＷｅｂ／ＤＡＶサーバを割り当てるので、システム全体の効率的な使用が可能となる。
【発明を実施するための最良の形態】
【００２４】
本実施形態では、インターネットデータセンタ等でのオンラインストレージサービスの管理運用に際して、従来のＷｅｂ／ＤＡＶサーバに付随するユーザデータ保管用のストレージ装置を切り離す。一方で、ユーザ宅にユーザデータ保管用のストレージ装置を設置して、ｉＳＣＳＩターゲット機能を有するネットワークアプライアンス装置を接続する。Ｗｅｂ／ＤＡＶサーバは、ユーザに供するデータ保管用のストレージ装置をｉＳＣＳＩ接続で収容することでオンラインストレージシステムを構成する。
【００２５】
インターネットデータセンタは、負荷分散装置、ＤＮＳ、並びにユーザデータ保存のためのストレージが内蔵若しくはストレージ装置接続専用ケーブル類で外付け接続されていない複数のＷｅｂサーバ兼ファイルサーバ（Ｗｅｂ／ＤＡＶサーバ）により構成される。
【００２６】
一方、ユーザ宅には、インターネットデータセンタのＷｅｂ／ＤＡＶサーバにｈｔｔｐ接続し保守管理を行うＰＣ、及びｉＳＣＳＩターゲット機能を有しハードディスクを外付け接続可能なネットワークアプライアンス装置が設置される。
【００２７】
Ｗｅｂ／ＤＡＶサーバは、管理用にＷｅｂサーバ機能を有し、ユーザデータの保管を目的とするファイルサーバ機能も有するが、プロトコルについてはＷｅｂＤＡＶ，ＣＩＦＳ，ＮＦＳなどの各種ファイルサーバ用プロトコルを搭載可能である。
【００２８】
負荷分散装置は、Ｗｅｂ／ＤＡＶサーバが、ｉＳＣＳＩ接続によりユーザ宅のネットワークアプライアンス装置にｉＳＣＳＩ接続されていない状態を「使用中」と見なし、充分短い間隔で状態監視することにより、「使用中でない」サーバ装置を常時把握するとともに、ユーザ宅に設置したネットワークアプライアンス装置からの「サーバ開設要求」に際して、「使用中でない」サーバへ「サーバ開設要求」を振り分ける機能を有する。
【００２９】
「サーバ開設要求」を受けたＷｅｂ／ＤＡＶサーバは、「サーバ開設要求」に基づいてサーバ開設イベントを記録するとともに、アクセス元のＩＰアドレスに対して、ｉＳＣＳＩ接続を試みる。
【００３０】
接続が成功すると、Ｗｅｂ／ＤＡＶはＤＮＳに対して、「ドメイン登録要求」を行う。ＤＮＳは要求に基づき「ドメイン登録」を行うとともに、Ｗｅｂ／ＤＡＶサーバに対して「登録ドメイン」名を通知する。
【００３１】
「登録ドメイン」名の通知を受けたＷｅｂ／ＤＡＶサーバは、自らの状態を「使用中」として、負荷分散装置からの状態監視に対して「使用中」を通知する。
【００３２】
また、「登録ドメイン」名を、ネットワークアプライアンス装置に通知する。
【００３３】
ネットワークアプライアンス装置は、「登録ドメイン」名の通知を得て、保守管理用ＰＣからのアクセスに際して、「登録ドメイン」名を通知する。
【００３４】
「登録ドメイン」名を得た保守管理用ＰＣは、当該ドメイン名を用いて、割り当てられたＷｅｂ／ＤＡＶサーバにｈｔｔｐ接続を行い、Ｗｅｂベースでファイルサーバ管理（ディスクフォーマット，パーティション管理，ユーザ登録，ユーザ属性管理等）を行う。
【００３５】
以降、登録されたユーザ間でオンラインストレージサービスが利用可能となる。
【００３６】
オンラインストレージサービス解説に伴い設定を行った、ユーザ登録等のユーザ固有情報は、ユーザ宅内のストレージ装置に記録される。
【００３７】
ユーザ宅内に設置したストレージ装置を既に当該オンラインストレージサービスで使用した経歴がある場合は、当該データを再利用可能である。
【００３８】
オンラインストレージサービスの廃止は、保守管理ＰＣからのネットワークアプライアンス装置アクセスを経由して行う。ネットワークアプライアンス装置は「登録ドメイン」名を介して、使用中のＷｅｂ／ＤＡＶサーバに接続し、「サーバ閉鎖要求」を行う。
【００３９】
「サーバ閉鎖要求」を受けたＷｅｂ／ＤＡＶサーバは、ｉＳＣＳＩ接続を切断し、ＤＮＳに対して「登録ドメイン」名の廃止要求を行い、確認回答受信後、負荷分散装置からの状態監視に際して「使用中でない」状態を通知する。
【００４０】
以上により、当該ユーザに対してオンラインストレージを構成するシステムは初期状態に復旧される。
【００４１】
ここで図２を参照して、オンラインストレージシステムについて説明する。
【００４２】
インターネットデータセンタ２５とユーザ宅２１間は、ＩＰｖ６アドレス体系により構成されたＩＰ網内にあり、各ユーザ２１宅はＦＴＴＨ回線により接続される。ユーザ宅２１内に設置される各ユーザ端末２２は、ＩＰｖ６機能の自動アドレス付与ルールによりＩＰｖ６アドレスを取得する。
【００４３】
ＩＰｖ６網ではＦＴＴＨ回線契約と取得アドレス体系をマッピングして管理する。
【００４４】
インターネットデータセンタ２５では、アクセス元のＩＰｖ６アドレスによりアクセス元の所在と契約者、及びアクセス端末の種別を一意に特定可能になる。
【００４５】
このような構成のオンラインストレージシステムにおいて、まず、ユーザ端末２２はサーバ開設要求を行うため、ＩＰｖ６自動設定に基づき、ネットワークアプライアンス装置２３のＩＰｖ６アドレスに直接ｈｔｔｐアクセスする(Ｓ２１)。
【００４６】
ネットワークアプライアンス装置２３は、リバースプロキシ機能により予め内部メモリに記録された負荷分散装置２７の登録ドメイン名に対してｈｔｔｐ接続を行う(Ｓ２２)。
【００４７】
負荷分散装置２７はアクセス元のＩＰｖ６アドレスからネットワークインターフェース（下位６４ビット）を抽出し、当該サービス対応のネットワークアプライアンス装置２３のみをフィルタリングした上で、「使用中でない」状態のＷｅｂ／ＤＡＶサーバ２８へ、アクセス元ＩＰｖ６アドレスを保持したまま、「サーバ開設要求」を振り分ける(Ｓ２３)。
【００４８】
Ｗｅｂ／ＤＡＶサーバ２８はＩＰｖ６アドレスが当該サービス契約者に割り当てられたものであることを確認の上、当該アドレスに対してｉＳＣＳＩ  Ｌｏｇｉｎを行う(Ｓ２４)。
【００４９】
ｉＳＣＳＩ接続要求を受けたユーザ宅内のネットワークアプライアンス装置２３は、ネットワークアプライアンス装置２３とＳＡＴＡ，ＵＳＢ，ＳＣＳＩ，ＩＥＥＥ１３９４などの個人向けＰＣ用途のストレージ装置用インターフェースにより接続されたストレージ装置２４が使用可能状態であることを確認の上(Ｓ２５)、ｉＳＣＳＩ  Ｌｏｇｉｎの確認レスポンスをＷｅｂ／ＤＡＶサーバ２８に返す(Ｓ２６)。
【００５０】
ｉＳＣＳＩ  Ｌｏｇｉｎを確認したＷｅｂ／ＤＡＶサーバ２８は、当該サーバのドメイン登録のため、ＤＮＳ２６にアクセスする(Ｓ２７)。
【００５１】
ＤＮＳ２６は、ドメイン名の登録に際して、過去の登録名との重複を避けるアルゴリズムを利用し、Ｗｅｂ／ＤＡＶサーバ２８に登録名を通知する(Ｓ２８)。
【００５２】
Ｗｅｂ／ＤＡＶサーバ２８は、負荷分散装置２７の状態監視に対して「使用中」であることを通知する(Ｓ２９)。「使用中」であることは、ドメイン登録通知を契機として、サーバ内のフラグを書き換えることで実現する。
【００５３】
並行して、Ｗｅｂ／ＤＡＶサーバ２８は、ネットワークアプライアンス装置２３に登録ドメイン名を通知する(Ｓ３０)。
【００５４】
ネットワークアプライアンス装置２３はユーザ端末２２に対して、登録ドメイン名を通知する(Ｓ３１)。登録ドメイン名を取得したユーザ端末２２は、「サーバ開設要求」に基づいて割り当てられたＷｅｂ／ＤＡＶサーバ２８へ直接アクセス可能となり、ＤＮＳ２６へＷｅｂ／ＤＡＶサーバ２８の名前解決要求(Ｓ３２)、及びその回答(Ｓ３３)を行い、Ｗｅｂ／ＤＡＶサーバ２８に接続してサーバ管理を行う(Ｓ３４)。
【００５５】
Ｗｅｂ／ＤＡＶサーバ２８へ直接アクセスするユーザ端末２２のうち、「サーバ開設要求」を行ったＩＰｖ６アドレスと同じネットワークプリフィックス（ＩＰｖ６の上位６４ビット）を有するｈｔｔｐアクセスに対して、当該サーバに対する管理者権限を付与し、Ｗｅｂベースの管理者コンソールアクセスによりサーバ管理を行う。
【００５６】
ユーザ端末２２はサーバ管理に際して、ユーザ宅内のストレージ装置２４に対するフォーマット、Ｗｅｂ／ＤＡＶサーバ２８のサポートするファイルシステムから選択のうえ、ファイルシステムを構築する。さらに。当該サーバの管理者外ユーザの登録を、ドメイン登録名、又はネットワークプリフィックスに基づき行う。
【００５７】
以上、実施形態について説明したが、この実施形態に限定されることなく、種々変更・応用が可能である。例えば、上記実施形態では、ファイルサーバについて説明したが、ストリーミングサーバを用いることも可能である。
【００５８】
上記実施形態により、インターネットデータセンタの管理運用者は、導入コスト変動、耐久寿命等のリスクの高いストレージ装置を保有する必要が無くなり、効率的な投資が可能となる。
【００５９】
一方、当該サービスのユーザは、必要に応じてファイルサーバの開設と閉鎖が可能となる。加えて、自らの求めるサービスグレードに応じて、低コストのストレージ装置を選択でき、また、必要に応じてストレージ容量を増減可能となる。
【図面の簡単な説明】
【００６０】
【図１】オンラインサーバストレージシステムの構成図。
【図２】オンラインサーバストレージシステムの構成図。
【符号の説明】
【００６１】
１１  ユーザ宅
１２  ユーザ端末
１３  インターネットデータセンタ
１４  ＤＮＳ
１５  ストレージ装置
１６  Ｗｅｂ／ＤＡＶサーバ
２１  ユーザ宅
２２  ユーザ端末
２３  ネットワークアプライアンス装置
２４  ストレージ装置
２５  インターネットデータセンタ
２６  ＤＮＳ
２７  負荷分散装置
２８  Ｗｅｂ／ＤＡＶサーバ
【図１】
0004504888.tif 000002
【図２】
0004504888.tif 000003